(57)【要約】【課題】取り扱い易く、構成簡易で廉価に製造することができる、枠組足場の墜落防止用ガードを提供する。【解決手段】建枠と交差筋違とを有する枠組足場へ取り付けるための墜落防止用ガードにおいて、ループ形乃至多角形状に形成した枠状本体２と、該枠状本体に付設された２以上の連結具３…とを具備し、これら連結具を介して上記枠状本体２を上記交差筋違34、35へ固定可能に設けた。【選択図】  図１
2005171708.tif 000002
【特許請求の範囲】
【請求項１】
建枠と交差筋違とを有する枠組足場へ取り付けるための墜落防止用ガードにおいて、ループ形乃至多角形状に形成した枠状本体２と、該枠状本体に付設された２以上の連結具３…とを具備し、これら連結具を介して上記枠状本体２を上記交差筋違34、35へ固定可能に設けたことを特徴とする、枠組足場の墜落防止用ガード。
【請求項２】
上記２以上の連結具３のうち少なくとも１つを、上記枠状本体２の周方向の適所に固設させた固定式連結具3Aとし、他の連結具を枠状本体２の周方向へのスライド自在なスライド式連結具3Bとしたことを特徴とする、請求項１記載の枠組足場の墜落防止用ガード。
【請求項３】
上記枠状本体２の相互に離間した２箇所に、上記交差筋違のうち一方筋違34への連結手段として固定式連結具3A,3Aを固設し、かつこれら両固定式連結具の間の枠状本体部分に、他方筋違35への連結手段としてスライド式連結具3B,3Bをそれぞれ取り付けて、これらスライド式連結具3B,3Bを枠状本体２に沿ってスライドさせることで上記交差筋違34、35の交差角度に応じて各スライド式連結具3B,3Bの位置を調整可能としたことを特徴とする、請求項２記載の枠組足場の墜落防止用ガード。
【請求項４】
上記枠状本体２は剛弾性材料で形成され、かつ上記固定式連結具3A及びスライド式連結具3Bは、それぞれ上記各筋違34、35への掛留め用フック４を有することを特徴とする、請求項３記載の枠組足場の墜落防止用ガード。
【発明の詳細な説明】
【技術分野】
【０００１】
本発明は、枠組足場の墜落防止用ガードに関する。
【背景技術】
【０００２】
枠組足場において相互に隣接する２つの建枠間に設置する墜落防止用ガードとして、各建枠の垂直パイプ間の距離と等長乃至やや狭い横巾を有する矩形枠本体を有し、該本体の両側を各種係合具（固定プレード又は垂直乃至水平方向への揺動可能な係止腕）を介して上記両垂直パイプに係合させたものが知られている（特許文献１〜３）。
【特許文献１】特許3084321号
【特許文献２】特許2554313号
【特許文献３】特開平3-81458号
【発明の開示】
【発明が解決しようとする課題】
【０００３】
上記特許文献１乃至３のものは、隣接する建枠間に掛け渡す大掛かりな構造であるため、重量が大となって取扱い難く、組立が面倒となり、製造コストも高くなる。
【０００４】
他方、枠組足場の外側には強度確保のための交差筋違が取り付けられているから、これら筋違と建枠との隙間及び筋違と布板との隙間を確実に塞げば墜落防止の効果は十分であり、上記交差筋違と重複して大掛かりな装置を設ける必要は必ずしもない。
【０００５】
そこで本発明は、従来の問題点を解決するため、ループ形乃至多角形状の枠状本体を有し、該枠状本体を連結具を介して交差筋違へ固定可能に設けた枠組足場の墜落防止用ガードを提供することを目的とする。
【課題を解決するための手段】
【０００６】
第１の手段は、建枠と交差筋違とを有する枠組足場へ取り付けるための墜落防止用ガードにおいて、ループ形乃至多角形状に形成した枠状本体２と、該枠状本体に付設された２以上の連結具３…とを具備し、これら連結具を介して上記枠状本体２を上記交差筋違34、35へ固定可能に設けている。
【０００７】
第２の手段は、上記第1の手段を有し、かつ上記２以上の連結具３のうち少なくとも１つを、上記枠状本体２の周方向の適所に固設させた固定式連結具3Aとし、他の連結具を枠状本体２の周方向へのスライド自在なスライド式連結具3Bとしている。
【０００８】
第３の手段は、上記第２の手段を有し、かつ上記枠状本体２の相互に離間した２箇所に、上記交差筋違のうち一方筋違34への連結手段として固定式連結具3A,3Aを固設し、かつこれら両固定式連結具の間の枠状本体部分に、他方筋違35への連結手段としてスライド式連結具3B,3Bをそれぞれ取り付けて、これらスライド式連結具3B,3Bを枠状本体２に沿ってスライドさせることで上記交差筋違34、35の交差角度に応じて各スライド式連結具3B,3Bの位置を調整可能としている。
【０００９】
第４の手段は、上記第３の手段を有し、かつ上記枠状本体２は剛弾性材料で形成され、かつ上記固定式連結具3A及びスライド式連結具3Bは、それぞれ上記各筋違34、35への掛留め用のフック４を有している。
【発明の効果】
【００１０】
請求項１の発明によれば次の効果を奏する。
○本発明の枠組足場の墜落防止用ガードは、枠組足場の交差筋違34、35への取り付け可能に設けたから、該交差筋違と建枠等との開口からの転落を効果的に阻止できる。
○上記ガードは、ループ形乃至多角形状の枠状本体と２以上の連結具３とからなるから、構成が極めて簡易であり、廉価に製造することができる。
○枠組足場の隣接建枠間に掛け渡す従来のガードと比較して小型化・軽量化が可能であるので、保管などの際に嵩張らず、又交差筋違への取付けも容易である。
【００１１】
請求項２の発明によれば、固定式連結具3Aとスライド式連結具3Bとを設けたから、枠状本体２全体の位置を決めて固定式連結具3Aを枠状本体２に固定した後に該枠状本体に沿ってスライド式連結具3Bを移動して該スライド式連結具を枠状本体２の所定箇所に固定すれば良いので、枠状本体の取り付け作業が簡単である。
【００１２】
請求項３の発明によれば、一方筋違34、34への連結用の１対の固定式連結具3A,3Aと、他方筋違35,35への連結用の１対のスライド式連結具3B,3Bとを用いて枠状本体２を４点で固定するように設けたから、両筋違34、35の交差角度に対応して確実に枠状本体２を固定できる。
【００１３】
請求項４の発明によれば、次の効果を奏する。
○上記連結具３は、それぞれ各筋違34、35への掛留め用フック４を有するから、交差筋違34、35への枠状本体２の取り付けが更に容易となる。
○上記枠状本体２は剛弾性材料で形成したから、上記交差筋違34、35の内縁側へ取り付けるときに図７に示す如くこれら内縁に沿って弾性変形し、該変形に抗して上記掛留め用フック４と枠状本体２との間の摩擦が増大するので、係止力が増大する。
【発明を実施するための最良の形態】
【００１４】
図１から図９は、本発明の第1実施形態に係る墜落防止用ガードを示している。
【００１５】
図１は、墜落防止用ガード１を建築物の枠組足場31に取り付けた状態を示している。尚、枠組足場31は、複数の建枠32…と布板33…と交差筋違34,35とで構成している。
【００１６】
本発明の墜落防止用ガード１は、図２に示す如く枠状本体２と、連結具３とで構成されている。
【００１７】
枠状本体２は、円環状のリング体であって、少なくとも手摺としての強度を有しており、好ましくは軽量とするために円環状のパイプで形成している。又、枠状本体２は、剛弾性を有する材料で形成して、上記交差筋違34,35への取付けの際に図７に示す如く半径方向から見て湾曲変形することが可能に設けると良い。又、上記枠状本体２の半径は、交差筋違34,35の交点Ａと上下布板33,33との距離のほぼ半分程度、或いは上記交点Ａと左右建枠32,32との距離のほぼ半分程度に形成すると良い。
【００１８】
連結具３は、図１に示す如く上記枠状本体２の右上・右下・左上・左下の対応４箇所に位置しており、かつ上記交差筋違34、35への掛留め用フック４をそれぞれ有する。好適な図示例では、一方筋違34に対応する枠状本体２直径方向の対向位置に固定式連結具3A,3Aを固設しており、又、これら固定式連結具の間の各枠状本体部分を摺動可能にスライド式連結具3B,3Bを設けている。上記固定式連結具3Aは、図３に示す如く枠状本体2の該当箇所にコ字形金具の側板部を接合することで掛留め用フック４を形成しており、又、上記スライド式連結具3Bは、図４に示す如く上記枠状本体2に嵌合させたスライド筒５の外面にコ字形金具の側板部を接合することで上記フック４を形成している。これらフックは、上記各交差筋違34、35の上面側から掛留め可能に配置している。もっとも各連結具は、上記フック４に代えてクランプ金具などのクランプ手段を具備するものとして良い。
【００１９】
尚、図示例では枠状本体２を上記リング状に形成しているが、本実施形態では、枠状本体２の少なくとも一部を、上記スライド式連結具3Bのスライドが可能な円弧部分（又は緩曲線部分）或いは直線部分に形成していれば足り、例えば楕円形・長円形などのループ形状乃至多角形状とすることができる。又、上述の２つの固定式連結具3A,3A及びスライド式連結具3B,3Bのうち１つ乃至２つの連結具を省略して、枠状本体２を交差筋違34,35に２点乃至３点で固定するように設けても良い。又、図示例では、上記固定式連結具3A,3Aをリング形の枠状本体２の対向位置に設けているが、必ずしも該位置に設置する必要はなく、これら固定式連結具3A,3Aと少なくとも1つのスライド式連結具3Bとで枠状本体２を交差筋違34,35に確実に固定できる程度に両固定式連結具3A,3Aとの間に距離をとって配置すれば良い。
【００２０】
上記構成において、図１の状態では、枠状本体２の下方円弧部分が交差筋違34,35と下側布板33との間の空間を、又、枠状本体２の左右円弧部分が交差筋違34,35と左右建枠32,32との間の空間を効果的に塞いでいるので、上記各空間からの墜落などを防止できる。
【００２１】
次に、本発明の墜落防止用ガード１を枠組足場31の交差筋違34、35を取り付けるときには、上記フック４を枠組足場１の外方へ向けるようにして枠状本体２を持ち、該枠状本体を、図５に示す如く一方筋違34に対して直角な斜下方向へ押し込むことで、該一方筋違34に固定式連結具3A,3Aのフック4,4を掛け留めさせ、次に、図６に示すように上記枠状本体２に沿ってスライド式連結具3B,3Bを摺動させ、これらスライド式連結具のフック4,4を、他方筋違35のうち枠状本体２と交叉する部分にそれぞれ掛け留めする。尚、図７に示す如く交差筋違34,35のうち一の筋違（図示例では一方筋違34）は他の筋違よりも枠組足場の外方側にあるため、各筋違の内縁部分も同一垂直面上にはないが、図示の通り上記枠状本体２を側方から見て弾性変形させることで、固定式連結具3A及びスライド式連結具3Bの各フック4,4を各筋違34,35へ取付けすることができる。
【００２２】
又、このように上記枠状本体２を弾性変形することで、固定式連結具3Aのフック４は一方筋違34の外面側へ、又、スライド式連結具3Bのフック４は他方筋違35の内面側へ、それぞれ図７に矢示の如く枠状本体２の弾性復元力により圧接されることとなり、各筋違34,35とフック４との間の摩擦が増大し、該フックの係合力が高まる。
【００２３】
尚、図８に示す如く各交差筋違34、35の交差角度が異なる場合にも、上記スライド式連結具3B,3Bを適宜摺動してその位置を調整することにより、上記と同一の手順により取付けできる。以上の作業を各建枠32,32間の交差筋違34,35に対して繰り返し行うことで、図９に示す如く建物の枠組足場31の全体を本発明の墜落防止用ガード31でカバーすることができる。
【００２４】
図１０は本発明の第２実施形態を示すものである。該実施形態は、長方形状の枠状本体２に４つの固定式連結具3A…を付設したものである。各連結具のフック４は各筋違に対して上方から掛け留め可能に設ける。尚、上記枠状本体は四角形以外の多角形状としても良い。
【図面の簡単な説明】
【００２５】
【図１】本発明の第1の実施形態に係る墜落防止用ガードを交差筋違へ取付けた状態を示す正面図である。
【図２】図１の墜落防止用ガードの斜視図である。
【図３】図１の墜落防止用ガードの要部拡大図である。
【図４】図１の墜落防止用ガードの他の要部の拡大図である。
【図５】図４の状態に至るまでの行程の１段階を示す説明図である。
【図６】図５の段階の次の段階を示す説明図である。
【図７】図４の取付状態を側面から拡大して示す側面拡大図である。
【図８】図１の墜落防止用ガードを交差角度の異なる複数の交差筋違に取りつけた例である。
【図９】図１の墜落防止用ガードの設置例を示す図である。
【図１０】本発明の第2の実施形態に係る墜落防止用ガードの正面図である。
【符号の説明】
【００２６】
１…墜落防止用ガード  ２…枠状本体  ３…連結具  3A…固定式連結具 
3B…スライド式連結具  ４…フック    ５…スライド筒
31…枠組足場  32…建枠  33…布板  34,35…交差筋違
【図１】
2005171708.tif 000003
【図２】
2005171708.tif 000004
【図３】
2005171708.tif 000005
【図４】
2005171708.tif 000006
【図５】
2005171708.tif 000007
【図６】
2005171708.tif 000008
【図７】
2005171708.tif 000009
【図８】
2005171708.tif 000010
【図９】
2005171708.tif 000011
【図１０】
2005171708.tif 000012